(57)【要約】【課題】駆動の信頼性を向上させるための表示パネルアセンブリ及びこれを具備した表示装置を提供する。【解決手段】データ信号と、駆動電圧に基づいて生成されたゲート信号によって画像が表示される表示パネルと、前記表示パネルの一側部に配置され、前記駆動電圧を出力する駆動回路部が実装されたソース印刷回路基板と、前記表示パネルに駆動電圧を伝達するメイン経路部と、前記表示パネルに前記駆動電圧を伝達するサブ経路部とを有する。【選択図】図１
2006209109.tif 000002
【特許請求の範囲】
【請求項１】
データ信号と、駆動電圧に基づいて生成されたゲート信号によって画像が表示される表示パネルと、
前記表示パネルの一側部に配置され、前記駆動電圧を出力する駆動回路部が実装されたソース印刷回路基板と、
前記表示パネルに駆動電圧を伝達するメイン経路部と、
前記表示パネルに前記駆動電圧を伝達するサブ経路部とを有することを特徴とする表示パネルアセンブリ。
【請求項２】
前記メイン経路部は、前記駆動回路部から出力された前記駆動電圧を第１データＴＣＰ（Ｔａｐｅ  Ｃａｒｒｉｅｒ  Ｐａｃｋａｇｅ）を伝達する第１出力配線部と、
前記第１データＴＣＰから伝達された前記駆動電圧を第１ゲートＴＣＰに伝達する第１連結配線部とを有することを特徴とする請求項１に記載の表示パネルアセンブリ。
【請求項３】
前記第１出力配線部と前記第１連結配線部は、前記第１データＴＣＰに形成されたダミーパターン部を通じて互いに電気的に連結されることを特徴とする請求項２に記載の表示パネルアセンブリ。
【請求項４】
前記サブ経路部は、前記駆動回路部から出力された前記駆動電圧を第２データＴＣＰを伝達する第２出力配線部と、
前記第２データＴＣＰから伝達された前記駆動電圧を第２ゲートＴＣＰに伝達する第２連結配線部とを有することを特徴とする請求項２に記載の表示パネルアセンブリ。
【請求項５】
前記第２出力配線部と前記第２連結配線部は、第２データＴＣＰに形成されたダミーパターンを通じて互いに電気的に連結されることを特徴とする請求項４に記載の表示パネルアセンブリ。
【請求項６】
前記第２連結配線部は、実質的に画像が表示される前記表示パネルの表示領域の一部を囲むように形成されたリペア配線部と、
前記リペア配線部と前記第２ゲートＴＣＰとを連結する第３連結配線部とを有することを特徴とする請求項４に記載の表示パネルアセンブリ。
【請求項７】
前記表示パネルは、実質的に画像が表示される表示領域と前記表示領域を囲む周辺領域とを含んで構成され、
前記周辺領域には、複数のステージ（ｓｔａｇｅ）が従属的に連結され、前記表示領域にゲート信号を出力するゲート駆動部が形成されることを特徴とする請求項１に記載の表示パネルアセンブリ。
【請求項８】
前記メイン経路部は、前記駆動回路部から出力された前記駆動電圧を第１データＴＣＰを伝達する第１出力配線部と、
前記第１データＴＣＰから伝達された前記駆動電圧を前記複数のステージのうちの第１ステージに印加する第１入力端子部とを有することを特徴とする請求項７に記載の表示パネルアセンブリ。
【請求項９】
前記第１出力配線部と前記第１入力端子部は、前記第１データＴＣＰに形成されたダミーパターン部を通じて互いに電気的に連結されることを特徴とする請求項８に記載の表示パネルアセンブリ。
【請求項１０】
前記サブ経路部は、前記駆動回路部から出力された前記駆動電圧を第２データＴＣＰを伝達する第２出力配線部と、
前記第２データＴＣＰから伝達された前記駆動電圧を前記ゲート駆動部に伝達する第２連結配線部と、
前記第２連結配線部から伝達された前記駆動電圧を前記複数のステージのうちの第２ステージに印加する第２入力端子部とを有することを特徴とする請求項８に記載の表示パネルアセンブリ。
【請求項１１】
前記第２連結配線部は、前記表示領域の一部を囲むように形成されたリペア配線部を有することを特徴とする請求項１０に記載の表示パネルアセンブリ。
【請求項１２】
前記リぺア配線部は、前記表示領域に形成されたデータラインをリぺアすることを特徴とする請求項１１に記載の表示パネルアセンブリ。
【請求項１３】
前記メイン経路部は、第１データＴＣＰと第１ゲートＴＣＰとの間に延長され、前記サブ経路部は、第２データＴＣＰと第２ゲートＴＣＰとの間に延長されることを特徴とする請求項１に記載の表示パネルアセンブリ。
【請求項１４】
前記サブ経路部は、前記表示パネルの表示領域の複数の側部を囲むことを特徴とする請求項１に記載の表示パネルアセンブリ。
【請求項１５】
前記表示パネルは、第１側部、第２側部、第３側部、及び第４側部を有し、前記第１側部と第２側部は互いに対向し、第３側部及び第４側部は互いに対向し、前記ソース印刷回路基板は、前記表示パネルの第１側部に隣接するよう配置され、前記ゲート駆動部は、前記第３側部に隣接するよう配置され、前記サブ経路部は、前記表示パネルの前記第２及び第４側部に隣接するように延長されることを特徴とする請求項１４に記載の表示パネルアセンブリ。
【請求項１６】
もし、メイン経路部に異常が発生した場合、前記サブ経路部が前記駆動電圧を伝送することを特徴とする請求項１に記載の表示パネルアセンブリ。
【請求項１７】
表示パネルの一側部に配置されたソース印刷回路基板に実装され、前記表示パネルに駆動電圧を出力する駆動回路部と、
前記駆動回路部から出力された前記駆動電圧を第１データＴＣＰに伝達する第１出力配線部と、
前記駆動回路部から出力された前記駆動電圧を第２データＴＣＰに伝達する第２出力配線部と、
前記駆動電圧に基づいてゲート信号を前記表示パネルの表示領域に出力するゲート駆動部と、
前記第２データＴＣＰから伝達された前記駆動電圧をゲート駆動部に伝達するリぺア配線部とを有することを特徴とする表示パネルアセンブリ。
【請求項１８】
前記ゲート駆動部は、複数のゲートＴＣＰを含むことを特徴とする請求項１７に記載の表示パネルアセンブリ。
【請求項１９】
前記第１データＴＣＰに伝達された前記駆動電圧は、第１ゲートＴＣＰに伝達され、
前記第２データＴＣＰに伝達された前記駆動電圧は、前記第２ゲートＴＣＰに伝達されることを特徴とする請求項１８に記載の表示パネルアセンブリ。
【請求項２０】
前記ゲート駆動部は、複数のステージが従属的に連結されたシフトレジスタを含むことを特徴とする請求項１７に記載の表示パネルアセンブリ。
【請求項２１】
前記第１データＴＣＰに伝達された前記駆動電圧は、前記シフトレジスタの第１ステージに入力され、
前記第２データＴＣＰに伝達された前記駆動電圧は、前記シフトレジスタの第２ステージに入力されることを特徴とする請求項２０に記載の表示パネルアセンブリ。
【請求項２２】
表示パネルの一側部に配置されたソース印刷回路基板に実装され、駆動電圧を出力する駆動回路部と、前記駆動電圧に基づいてゲート信号を前記表示パネルの表示領域に出力するゲート駆動部と、前記ゲート駆動部に前記駆動電圧を伝達するメイン経路部と、前記ゲート駆動部に前記駆動電圧を伝達するサブ経路部とを有する表示パネルアセンブリと、
前記表示パネルに光を出射するバックライトアセンブリとを有してなることを特徴とする表示装置。
【請求項２３】
前記メイン経路部は、前記ソース印刷回路基板に形成され、前記駆動回路部から出力された前記駆動電圧を第１データＴＣＰに伝達する第１出力配線部を有することを特徴とする請求項２２に記載の表示装置。
【請求項２４】
前記サブ経路部は、前記ソース印刷回路基板に形成され、前記駆動回路部から出力された前記駆動電圧を第２データＴＣＰを伝達する第２出力配線部と、
前記表示パネルに形成され、前記第２データＴＣＰから伝達された前記駆動電圧を前記ゲート駆動部に伝達するリぺア配線部とを有することを特徴とする請求項２２に記載の表示装置。
【請求項２５】
前記ゲート駆動部は、複数のゲートＴＣＰを含むことを特徴とする請求項２２に記載の表示装置。
【請求項２６】
前記ゲート駆動部は、複数のステージが従属的に連結されたシフトレジスタを含むことを特徴とする請求項２２に記載の表示装置。
【請求項２７】
駆動電圧をゲート駆動部の第１部分に伝送するメイン経路部と、
前記駆動電圧を前記ゲート駆動部の第２部分に伝送し、リぺアライン部に補助配線を含むサブ経路部とを有することを特徴とする表示パネルアセンブリ。
【請求項２８】
前記第１部分は第１ゲートＴＣＰであり、前記第２部分は第２ゲートＴＣＰであることを特徴とする請求項２７に記載の表示パネルアセンブリ。
【請求項２９】
前記ゲート駆動部は複数のシフトレジスタを含み、前記第１部分は前記ゲート駆動部の第１端部の第１入力ターミナルであり、前記第２部分は前記ゲート駆動部の第２端部の第２入力ターミナルであることを特徴とする請求項２７に記載の表示パネルアセンブリ。
【請求項３０】
前記メイン経路部は第１データＴＣＰから延長され、前記サブ経路部は第２データＴＣＰから延長されることを特徴とする請求項２７に記載の表示パネルアセンブリ。
【請求項３１】
前記表示パネルの第１側部に配置されたソース印刷回路基板と、
前記ソース印刷回路基板に配置され、駆動電圧を出力する駆動回路部とを更に有し、
前記ゲート駆動部は、前記表示パネルの第３側部に配置され、前記サブ経路部は前記第３側部と対向する第４側部及び前記第１側部と対向する第２側部に隣接するように延長されることを特徴とする請求項２７に記載の表示パネルアセンブリ。
【発明の詳細な説明】
【技術分野】
【０００１】
本発明は表示パネルアセンブリ及びこれを具備した表示装置に関わり、より詳細には、駆動の信頼性を向上させるための表示パネルアセンブリ及びこれを具備した表示装置に関する。
【背景技術】
【０００２】
一般的に液晶表示装置は、液晶表示パネルと液晶表示パネルを駆動するための駆動信号を出力する駆動回路部を有する。液晶表示パネルは、薄膜トランジスタ（ＴＦＴ）が配列されたＴＦＴ基板と、ＴＦＴ基板と合体して液晶層を収容するカラーフィルタ基板を含む。
【０００３】
ＴＦＴ基板は、ゲート信号を伝達する複数のゲートライン及びデータ信号を伝達する複数のデータラインを含む。データライン及びゲートラインは、互いに垂直した方向に延びる。
【０００４】
駆動装置は、ソース印刷回路基板と、ＴＦＴ基板とソース印刷回路基板とを電気的に連結するための複数のデータ−テープキャリアパッケージ（以下、ＴＣＰと称する）及びＴＦＴ基板のゲートラインと連結された複数のゲートＴＣＰを含む。
【０００５】
ここで、それぞれのデータＴＣＰにはＴＦＴ基板のデータラインを駆動するためのデータ駆動チップが搭載され、それぞれのゲートＴＣＰにはゲートラインを駆動するためのゲート駆動チップを具備する。
ソース印刷回路基板は、データ駆動チップ及びゲート駆動チップを駆動するためのデータ駆動信号及びゲート駆動信号をデータ駆動チップ及びゲート駆動チップに出力する。ゲート駆動チップに印加されるゲート駆動信号は一番目のデータＴＣＰを通じて一番目のゲートＴＣＰに印加される。
【０００６】
このように一番目のゲートＴＣＰに印加されたゲート駆動信号は、最後のゲートＴＣＰまで順次に印加され、ゲート駆動チップを駆動させる。ゲート駆動信号は、ゲートラインに連結されたスイチング素子（ＴＦＴ）をターンオンさせるゲートオン電圧とターンオフさせるゲートオフ電圧とを含む。
【０００７】
上記のように一番目のデータＴＣＰを通じてゲート駆動チップにゲート駆動電圧を印加する場合、長時間の駆動によって一番目のデータＴＣＰとＴＦＴ基板との接着不良が発生する。これによって駆動電圧が印加される部分に断線が発生するという問題点がある。
【発明の開示】
【発明が解決しようとする課題】
【０００８】
そこで、本発明は上記従来の液晶表示装置における問題点に鑑みてなされたものであって、本発明の目的は、駆動の信頼性を向上させるための表示パネルアセンブリを提供することにある。
また、本発明の他の目的は、上記表示パネルアセンブリを具備した表示装置を提供することにある。
【課題を解決するための手段】
【０００９】
上記目的を達成するためになされた本発明による表示パネルアセンブリは、データ信号と、駆動電圧に基づいて生成されたゲート信号によって画像が表示される表示パネルと、前記表示パネルの一側部に配置され、前記駆動電圧を出力する駆動回路部が実装されたソース印刷回路基板と、前記表示パネルに駆動電圧を伝達するメイン経路部と、前記表示パネルに前記駆動電圧を伝達するサブ経路部とを有することを特徴とする。
【００１０】
前記メイン経路部は、前記駆動回路部から出力された前記駆動電圧を第１データＴＣＰ（Ｔａｐｅ  Ｃａｒｒｉｅｒ  Ｐａｃｋａｇｅ）を伝達する第１出力配線部と、前記第１データＴＣＰから伝達された前記駆動電圧を第１ゲートＴＣＰに伝達する第１連結配線部とを有することが好ましい。
【００１１】
前記第１出力配線部と前記第１連結配線部は、前記第１データＴＣＰに形成されたダミーパターン部を通じて互いに電気的に連結されることが好ましい。
前記サブ経路部は、前記駆動回路部から出力された前記駆動電圧を第２ゲートＴＣＰを伝達する第２出力配線部と、前記第２データＴＣＰから伝達された前記駆動電圧を第２ゲートＴＣＰに伝達する第２連結配線部とを有することが好ましい。
前記第２出力配線部と前記第２連結配線部は、第２データＴＣＰに形成されたダミーパターンを通じて互いに電気的に連結されることが好ましい。
【００１２】
前記第２連結配線部は、実質的に画像が表示される前記表示パネルの表示領域の一部を囲むように形成されたリペア配線部と、前記リペア配線部と前記第２ゲートＴＣＰを連結する第３連結配線部とを有することが好ましい。
前記表示パネルは、実質的に画像が表示される表示領域と前記表示領域を囲む周辺領域とを含んで構成され、前記周辺領域には、複数のステージ（ｓｔａｇｅ）が従属的に連結され、前記表示領域にゲート信号を出力するゲート駆動部が形成されることが好ましい。
【００１３】
前記メイン経路部は、前記駆動回路部から出力された前記駆動電圧を第１データＴＣＰを伝達する第１出力配線部と、前記第１データＴＣＰから伝達された前記駆動電圧を前記複数のステージのうちの第１ステージに印加する第１入力端子部とを有することが好ましい。
【００１４】
前記第１出力配線部と前記第１入力端子部は、前記第１データＴＣＰに形成されたダミーパターン部を通じて互いに電気的に連結されることが好ましい。
前記サブ経路部は、前記駆動回路部から出力された前記駆動電圧を第２データＴＣＰを伝達する第２出力配線部と、前記第２データＴＣＰから伝達された前記駆動電圧を前記ゲート駆動部に伝達する第２連結配線部と、前記第２連結配線部から伝達された前記駆動電圧を前記複数のステージのうちの第２ステージに印加する第２入力端子部とを有することが好ましい。
【００１５】
前記第２連結配線部は、前記表示領域の一部を囲むように形成されたリペア配線部を有することが好ましい。
前記リぺア配線部は、前記表示領域に形成されたデータラインをリぺアすることが好ましい。
前記メイン経路部は、第１データＴＣＰと第１ゲートＴＣＰとの間に延長され、前記サブ経路部は、第２データＴＣＰと第２ゲートＴＣＰとの間に延長されることが好ましい。
前記サブ経路部は、前記表示パネルの表示領域の複数の側部を囲むことが好ましい。
前記表示パネルは、第１側部、第２側部、第３側部、及び第４側部を有し、前記第１側部と第２側部は互いに対向し、第３側部及び第４側部は互いに対向し、前記ソース印刷回路基板は、前記表示パネルの第１側部に隣接するよう配置され、前記ゲート駆動部は、前記第３側部に隣接するよう配置され、前記サブ経路部は、前記表示パネルの前記第２及び第４側部に隣接するように延長されることが好ましい。
もし、メイン経路部に異常が発生した場合、前記サブ経路部が前記駆動電圧を伝送することが好ましい。
【００１６】
また、上記目的を達成するためになされた本発明による表示パネルアセンブリは、表示パネルの一側部に配置されたソース印刷回路基板に実装され、前記表示パネルに駆動電圧を出力する駆動回路部と、前記駆動回路部から出力された前記駆動電圧を第１データＴＣＰに伝達する第１出力配線部と、前記駆動回路部から出力された前記駆動電圧を第２データＴＣＰに伝達する第２出力配線部と、前記駆動電圧に基づいてゲート信号を前記表示パネルの表示領域に出力するゲート駆動部と、前記第２データＴＣＰから伝達された前記駆動電圧をゲート駆動部に伝達するリぺア配線部とを有することを特徴とする。
【００１７】
前記ゲート駆動部は、複数のゲートＴＣＰを含むことが好ましい。
前記第１データＴＣＰに伝達された前記駆動電圧は、第１ゲートＴＣＰに伝達され、前記第２データＴＣＰに伝達された前記駆動電圧は、前記第２ゲートＴＣＰに伝達されることが好ましい。
【００１８】
前記ゲート駆動部は、複数のステージが従属的に連結されたシフトレジスタを含むことが好ましい。
前記第１データＴＣＰに伝達された前記駆動電圧は、シフトレジスタの第１ステージに入力され、前記第２データＴＣＰに伝達された前記駆動電圧は、前記シフトレジスタの第２ステージに入力されることが好ましい。
【００１９】
上記目的を達成するためになされた本発明による表示装置は、表示パネルの一側部に配置されたソース印刷回路基板に実装され、駆動電圧を出力する駆動回路部と、前記駆動電圧に基づいてゲート信号を前記表示パネルの表示領域に出力するゲート駆動部と、前記ゲート駆動部に前記駆動電圧を伝達するメイン経路部と、前記ゲート駆動部に前記駆動電圧を伝達するサブ経路部とを有する表示パネルアセンブリと、前記表示パネルに光を出射するバックライトアセンブリとを有してなることを特徴とする。
【００２０】
前記メイン経路部は、前記ソース印刷回路基板に形成され、前記駆動回路部から出力された前記駆動電圧を第１データＴＣＰに伝達する第１出力配線部を有することが好ましい。
【００２１】
前記サブ経路部は、前記ソース印刷回路基板に形成され、前記駆動回路部から出力された前記駆動電圧を第２データＴＣＰを伝達する第２出力配線部と、前記表示パネルに形成され、前記第２データＴＣＰから伝達された前記駆動電圧を前記ゲート駆動部に伝達するリぺア配線部とを有することが好ましい。
【００２２】
前記ゲート駆動部は、複数のゲートＴＣＰを含むことが好ましい。
前記ゲート駆動部は、複数のステージが従属的に連結されたシフトレジスタを含むことが好ましい。
【００２３】
さらに、また、上記目的を達成するためになされた本発明による表示パネルアセンブリは、駆動電圧をゲート駆動部の第１部分に伝送するメイン経路部と、前記駆動電圧を前記ゲート駆動部の第２部分に伝送し、リぺアライン部に補助配線を含むサブ経路部とを有することを特徴とする。
【００２４】
前記第１部分は第１ゲートＴＣＰであり、前記第２部分は第２ゲートＴＣＰであることが好ましい。
前記ゲート駆動部は複数のシフトレジスタを含み、前記第１部分は前記ゲート駆動部の第１端部の第１入力ターミナルであり、前記第２部分は前記ゲート駆動部の第２端部の第２入力ターミナルであることが好ましい。
前記メイン経路部は第１データＴＣＰから延長され、前記サブ経路部は第２データＴＣＰから延長されることが好ましい。
前記表示パネルの第１側部に配置されたソース印刷回路基板と、前記ソース印刷回路基板に配置され、駆動電圧を出力する駆動回路部とを更に有し、前記ゲート駆動部は、前記表示パネルの第３側部に配置され、前記サブ経路部は前記第３側部と対向する第４側部及び前記第１側部と対向する第２側部に隣接するように延長されることが好ましい。
【発明の効果】
【００２５】
本発明に係る表示パネルアセンブリ及びこれを具備した表示装置によれば、ゲート駆動部に供給される駆動電圧の供給経路を一番目のデータＴＣＰのダミーパターンを用いるメイン経路以外にサブ経路を通じてゲート駆動部に供給することで表示装置の駆動信頼性を向上させることができるという効果がある。
【００２６】
具体的には、サブ経路は前記一番目のデータＴＣＰを除いた残りのデータＴＣＰのダミーパターンとデータ配線のリペアのために表示領域を囲むように形成されたリペア配線を用い、このようなサブ経路を具備することでメイン経路に誤り（異常）が発生する場合、正常的な駆動電圧をゲート駆動部に伝達することができるという効果がある。
【発明を実施するための最良の形態】
【００２７】
次に、本発明に係る表示パネルアセンブリ及びこれを具備した表示装置を実施するための最良の形態の具体例を図面を参照しながら説明する。
【００２８】
図１は、本発明の実施形態による表示パネルアセンブリに対する概略的な平面図である。
図１を参照すると、表示パネルアセンブリは、表示パネル１００と、ソース印刷回路基板２００、駆動回路部２３０、リぺア配線部１４０、ゲート駆動部３００、及びデータ駆動部４００を含む。ゲート駆動部３００は、複数のゲートテープキャリアパッケージ（３１０、３２０、３３０、３４０）を含み、データ駆動部４００は、複数のデータテープキャリアパッケージ（４１０、４２０、４３０、４４０、４５０、４６０）を含む。以下では、ゲートテープキャリアパッケージを「ゲートＴＣＰ」と称し、データテープキャリアパッケージを「データＴＣＰ」と称する。図に示した実施形態は、四つのゲートＴＣＰ及び六つのデータＴＣＰを示しているが、これは例示的なものであり、その以上またはその以下のゲートＴＣＰ及びデータＴＣＰを含むこともできる。
【００２９】
表示パネル１００は、下部基板１１０と上部基板１３０、及び下部基板１１０と上部基板１３０の間に介在された液晶層を含む。下部基板１１０には第１方向に配列された複数のゲートライン（ＧＬ）と第１方向と交差する第２方向に配列された複数のデータライン（ＤＬ）が形成される。ゲートライン（ＧＬ）とデータライン（ＤＬ）は、互いに垂直した方向に配列され、下部基板１１０に含まれた絶縁膜によって互いに絶縁される。
【００３０】
下部基板１１０には、ゲートライン（ＧＬ）とデータライン（ＤＬ）によって定義される複数の画素領域が形成され、画素領域にはスイッチング素子（ＴＦＴ）と、液晶キャパシタ（ＣＬＣ）の第１電極である画素電極及びストレージキャパシタ（ＣＳＴ）が形成される。画素領域は、下部基板の全体領域のうち、実質的に画像が表示される領域に対応する表示領域（ＤＡ）に形成される。上部基板１３０及び下部基板１１０は、これらの外周辺部のシーリング部を通じて結合される。
上部基板１３０は、下部基板１１０との合体を通じて液晶層を収容し、画素電極に対向する共通電極が形成される。上部基板１３０は、表示領域（ＤＡ）に対応して配置される。
【００３１】
表示パネル１００は、一般的に図に示すような四角形の形状を有する。より詳しくは、表示パネル１００は、第１側部、第１側部と対向する第２側部、第１側部と第２側部とを連結する第３側部、及び第１側部と第２側部とを連結して第３側部と対向する第４側部を含む。
ソース印刷回路基板２００は、表示パネル１００の一側部に配置され、駆動回路部２３０が実装される。ソース印刷回路基板２００は、例えば、表示パネル１００の第１側部に配置される。ソース印刷回路基板２００には、駆動回路部２３０の出力端子に対応する複数の出力配線が形成される。
【００３２】
具体的にゲートオン電圧（ＶＯＮ）を出力する駆動回路部２３０の出力端子は、第１出力配線２０１ａと第２出力配線２０３にそれぞれ連結される。第１出力配線２０１ａは、一番目のデータＴＣＰ４１０のダミーパターン４１２ａと電気的に連結され、第２出力配線２０３は、一番目のデータＴＣＰ４１０以外の他のデータＴＣＰのダミーパターンと連結される。
【００３３】
望ましくは、第２出力配線２０３は、最後のデータＴＣＰ４６０のダミーパターン４６２ａと電気的に連結される。したがって、ゲートオン電圧（ＶＯＮ）は、第１出力配線２０１ａ及び第２出力配線２０３を通じて一番目のデータＴＣＰ４１０と最後のデータＴＣＰ４６０のそれぞれのダミーパターン（４１２ａ、４６２ａ）にそれぞれ印加される。
【００３４】
駆動回路部２３０は、外部装置から入力される信号に基づいて表示パネル１００を駆動するための駆動信号を発生する。駆動回路部２３０は、ゲートオン電圧、ゲートオフ電圧、及び共通電圧（ＶＣＯＭ、ＶＣＳＴ）を発生する駆動電圧発生部を含む。これによって、ゲートオン電圧及びゲートオフ電圧は、ゲートＴＣＰ（３１０、３２０、３３０、３４０）に搭載されたゲート駆動チップ（３１１、３４１）に印加され、共通電圧（ＶＣＯＭ、ＶＣＳＴ）は、表示パネル１００に印加される。
【００３５】
リペア配線部１４０は、表示領域（ＤＡ）を囲むように表示領域（ＤＡ）の外郭領域に形成され、二つ以上のリペア配線を含む。例えば、リペア配線部１４０は、表示パネル１００の第１、第２及び第４側部に隣接するように延長され、ゲートＴＣＰは第３側部に配置される。
【００３６】
ゲートＴＣＰ（３１０、３２０、３３０、３４０）は、下部基板１１０の第１周辺領域（ＰＡ１）に第１方向に配列される。第１周辺領域（ＰＡ１）は、表示パネル１００の第３側部に隣接するように配置されてもよい。それぞれのゲートＴＣＰ（３１０、３２０、３３０、３４０）は、ゲートラインにゲート信号を出力するゲート駆動チップ３１１が搭載される。ゲートＴＣＰ３１０はゲート制御信号が入力される入力パターン部３１２とゲート制御信号を次のゲートＴＣＰに伝達する出力パターン部３１３を含む。ゲート制御信号は、クロック信号、ゲートオン電圧、及びゲートオフ電圧を含む。
【００３７】
一番目のゲートＴＣＰ３１０の入力パターン部３１２を通じてソース印刷回路基板２００の駆動回路部２３０から出力されるゲート制御信号が一番目のゲート駆動チップ３１１に入力される。ゲート駆動チップ３１１は、ゲート制御信号に基づいて所定個のゲート信号を生成して該当するゲートラインに出力する。このような方式で、それぞれのゲートＴＣＰは、前のゲートＴＣＰから伝達されたゲート制御信号が入力されることによって次のゲートＴＣＰにゲート信号を出力する。
【００３８】
最後のゲートＴＣＰ３４０の出力パターン部３４３のうち、ゲートオン電圧（ＶＯＮ）が出力されるパターンは、リペア配線部１４０のリペア配線のうち、任意のリペア配線（以下「補助配線」と称する）と電気的に連結される。出力パターン部３４３のうち、ゲートオン電圧が出力されるパターンは、下部基板１１０上に形成された第２連結配線１５２によってリペア配線部１４０の補助配線と電気的に連結される。
【００３９】
データＴＣＰ（４１０〜４６０）は、下部基板１１０の第２周辺領域ＰＡ２に第２方向に配列される。それぞれのデータＴＣＰ４１０は、データラインにデータ信号を出力するデータ駆動チップ４１１が搭載される。それぞれのデータＴＣＰ４１０は信号が入力される入力パターン部と、処理された信号が出力される出力パターン部、及びダミーパターン部４１２を含む。
【００４０】
一番目のデータＴＣＰ４１０のダミーパターン部４１２を通じて駆動回路部２３０から出力されたゲート制御信号は、一番目のゲートＴＣＰ３１０の入力パターン部３１２に伝達する。即ち、一番目のデータＴＣＰ４１０のダミーパターン部４１２と一番目のゲートＴＣＰ３１０の入力パターン部３１２は、下部基板１１０上に形成された第１連結配線１５１によって電気的に連結される。
【００４１】
最後のデータＴＣＰ４６０のダミーパターンのうち、任意のダミーパターン４６２ａは、駆動回路部２３０の出力端子のうち、ゲートオン電圧（ＶＯＮ）が出力される端子と連結される。任意のダミーパターン４６２ａは、下部基板１１０上に形成された第３連結配線１５３を通じてリペア配線部１４０の補助配線と電気的に連結される。任意のダミーパターン４６２ａは、第２出力配線２０３と電気的に連結される。また、図に示したように、データＴＣＰ４６０の駆動チップ４６１を通過しない。
【００４２】
図２は、図１に示した「Ｉ」部分の拡大図である。
図１及び図２を参照すると、駆動回路部２３０から出力されたゲートオン電圧が複数のゲートＴＣＰに伝達するメイン経路は、第１出力配線２０１ａ、一番目のデータＴＣＰ４１０、及び一番目のゲートＴＣＰ３１０を経由する。
具体的に、一番目のデータＴＣＰ４１０は、データ駆動チップ４１１と、ダミーパターン部４１２と、データ駆動チップ４１１の入力端子と電気的に連結された入力パターン部４１３及びデータ駆動チップ４１１の出力端子と電気的に連結された出力パターン部４１４を含む。一番目のデータＴＣＰ４１０の一端部は、ソース印刷回路基板２００と連結され、他端部は下部基板１１０と連結される。
【００４３】
データ駆動チップ４１１は、データ信号をアナログ形態のデータ電圧に変換して表示パネル１００のデータラインに出力する。ダミーパターン部４１２は、ソース印刷回路基板２００に配置された駆動回路部から出力されるゲート制御信号が印加される。ゲート制御信号は、クロック信号、ゲートオン電圧、及びゲートオフ電圧を含み、ダミーパターン部４１２は、ゲート制御信号に対応して複数のダミーパターン（４１２ａ、４１２ｂ、４１２ｃ）を含む。
【００４４】
第１ダミーパターン４１２ａは、ソース印刷回路基板２００に形成されて駆動回路部２３０から出力されるゲートオン電圧を伝達する第１出力配線２０１ａと連結されてゲートオン電圧（ＶＯＮ）を伝達する。第２ダミーパターン４１２ｂは、駆動回路部からゲートオフ電圧（ＶＯＦＦ）を伝達し、第３ダミーパターン４１２ｃはクロック信号を伝達する。
一番目のゲートＴＣＰ３１０は、ゲート駆動チップ３１１と、入力パターン部３１２及び出力パターン部３１３を含む。ゲート駆動チップ３１１は、ダミーパターン部４１２から伝達されたゲート制御信号に基づいてゲート信号を生成して表示パネル１００のゲートラインに出力する。
【００４５】
入力パターン部３１２は、ダミーパターン部４１２と電気的に連結される。具体的に、下部基板１１０上に形成された第１連結配線１５１によって入力パターン部３１２とダミーパターン部４１２とは連結される。第１連結配線１５１は、ダミーパターン（４１２ａ、４１２ｂ、４１２ｃ）を入力パターン（３１２ａ、３１２ｂ、３１２ｃ）にそれぞれ連結する三つの第１連結配線（１５１ａ、１５１ｂ、１５１ｃ）を含むことができる。
【００４６】
入力パターン部３１２は、第１乃至第３入力パターン（３１２ａ、３１２ｂ、３１２ｃ）を含む。第１入力パターン３１２ａは、第１ダミーパターン４１２ａと連結されてゲートオン電圧が印加される。第２入力パターン３１２ｂは、第２ダミーパターン４１２ｂと連結されてゲートオフ電圧が印加される。第３入力パターン３１２ｃは、第３ダミーパターン４１２ｃと連結されてクロック信号が印加される。
【００４７】
出力パターン部３１３は、二番目のゲートＴＣＰ３２０の入力パターン部と電気的に連結される。出力パターン部３１３は、ゲートオン電圧を出力する第１出力パターン３１３ａとゲートオフ電圧を出力する第２出力パターン３１３ｂ及びクロック信号を出力する第３出力パターン３１３ｃを含む。
【００４８】
このように、第１出力配線２０１ａから伝達したゲートオン電圧は、一番目のデータＴＣＰ４１０のダミーパターン４１２ａ及び第１連結配線１５１ａを経由して一番目のゲートＴＣＰ３１０に伝達する。メイン経路を通じて相互電気的に連結されたゲートＴＣＰ（３１０、３２０、３３０、３４０）にゲートオン電圧が伝達する。メイン経路は、部分的に、第１出力配線２０１ａ、ダミーパターン４１２ａ、第１連結配線１５１ａ、入力配線３１２ａ及びゲートＴＣＰの連続的な入力及び出力パターンによって定義される。
【００４９】
図３は、図１に示した「ＩＩ」部分の拡大図である。図４は、図１に示した「ＩＩＩ」部分の拡大図である。
【００５０】
図１、図３及び図４を参照すると、駆動回路部２３０から出力されたゲートオン電圧が複数のゲートＴＣＰに伝達されるサブ経路は、第２出力配線２０３、最後のデータＴＣＰ４６０、補助配線１４１及び最後のゲートＴＣＰ３６０を経由する。
【００５１】
最後のデータＴＣＰ４６０は、データ駆動チップ４６１と、ダミーパターン部４６２と、データ駆動チップ４６１の入力端子と電気的に連結された入力パターン部４６３及びデータ駆動チップ４６１の出力端子と電気的に連結された出力パターン部４６４を含む。最後のデータＴＣＰ４６０の一端部はソース印刷回路基板２００と連結され、他端部は、下部基板１１０と連結される。
【００５２】
データ駆動チップ４６１は、入力パターン部４６３に入力されるデータ信号をアナログ形態のデータ電圧に変換して出力パターン部４６４を通じて表示パネル１００のデータラインに出力する。
【００５３】
ダミーパターン部４６２は、複数のダミーパターンを含み、ダミーパターンのうち、任意のダミーパターン４６２ａの一端部は、ソース印刷回路基板２００上に実装された駆動回路部２３０からゲートオン電圧を伝達する第２出力配線２０３と電気的に連結される。任意のダミーパターン４６２ａの他端部は、下部基板１１０上に形成された第３連結配線１５３と電気的に連結される。
【００５４】
下部基板１１０上には実質的に画像が表示される表示領域（ＤＡ）を囲むリペア配線部１４０が形成される。リペア配線部１４０は、二つ以上のリペア配線（１４１、１４２）を含み、リペア配線（１４１、１４２）のうち、補助配線１４１は第３連結配線１５３と電気的に連結される。補助配線１４１には、ダミーパターン４６２ａから伝達されるゲートオン電圧が印加される。
【００５５】
最後のゲートＴＣＰ３４０は、ゲート駆動チップ３４１と、入力パターン部３４２及び出力パターン部３４３を含む。
ゲート駆動チップ３４１は、入力パターン部３４２から伝達されたゲート制御信号に基づいてゲート信号を生成する。ゲート駆動チップ３４１は、ゲート信号を表示パネル１００に形成された該当するゲートラインに出力する。
【００５６】
出力パターン部３４３は、ゲートオン電圧を出力する第１出力パターン３４３ａとゲートオフ電圧を出力する第２出力パターン３４３ｂ及びクロック信号を出力する第３出力パターン３４３ｃを含む。第１出力パターン３４３ａは、表示領域（ＤＡ）を囲むように形成されたリペア配線部１４０の補助配線１４１と電気的に連結される。具体的に、第１出力パターン３４３ａは、下部基板１１０上に形成された第２連結配線１５３を通じて補助配線１４１と電気的に連結される。
【００５７】
これによって、補助配線１４１を通じて印加されるゲートオン電圧が第１出力パターン３４３ａに印加される。したがって、補助配線１４１を通じて伝達したゲートオン電圧は、相互電気的に連結されたゲートＴＣＰ（３１０、３２０、３３０、３４０）に伝達される。
【００５８】
一方、第１出力パターン３４３ａを除いた第２出力パターン３４３ｂ及び第３出力パターン３４３ｃを含む出力パターン部３４３はオープン状態になる。
サブ経路部は、第２出力配線２０３、最後のデータＴＣＰ４６０を通過するダミーパターン４６２ａ、第３連結配線１５３、補助配線１４１、第２連結配線１５２及び最後のゲートＴＣＰ３４０上の出力パターンによって定義される。
【００５９】
以上のように、最後のデータＴＣＰ４６０のダミーパターン４６２ａとリペア配線のうちの一つである補助配線１４１を利用してゲートオン電圧を複数のゲートＴＣＰ（３１０、３２０、３３０、３４０）に印加するサブ経路が形成される。
【００６０】
これによって前記メイン経路である一番目のデータＴＣＰ４１０を通じて伝達した前記ゲートオン電圧に誤り（異常）が発生する場合、サブ経路である最後のデータＴＣＰ４６０を通じて伝達したゲートオン電圧によって複数のゲートＴＣＰ（３１０、３２０、３３０、３４０）には正常なゲートオン電圧が伝達されることによって駆動の信頼性を向上させることができる。したがって、ゲートオン電圧が他のデータＴＣＰを通じてゲートＴＣＰで余分的に供給されてゲートＴＣＰによってゲートオン電圧の印加が担保される。
【００６１】
以上、サブ経路で最後のデータＴＣＰ４６０を例に挙げたが、一番目のデータＴＣＰ４１０を除いた残りのデータＴＣＰ（４２０、４３０、４４０、４５０）うちのいずれか一つを利用することができることは自明である。このような実施形態では、第２出力配線２０３と第３連結配線１５３は、データＴＣＰ（４２０、４３０、４４０、４５０）のうちのいずれか一つのダミーパターンの入力及び出力端に電気的に互いに連結することができる。そうすると、第３連結配線１５３は、表示パネル１００の第１側部に隣接するように延長された補助配線１４１に連結される。
【００６２】
また、上述ではサブ経路でリペア配線を用いる場合を例として挙げたが、別途の補助配線を形成して残りデータＴＣＰ（４２０、４３０、４４０、４５０）のうちのいずれか一つと最後のゲートＴＣＰ３４０とを連結してサブ経路として用いることができることは自明である。
【００６３】
図５は、本発明の他の実施形態による表示パネルアセンブリに対する概略的な平面図である。図１に示した表示パネルアセンブリと同一の構成要素に対しては同一の図面符号を付与する。
【００６４】
図５を参照すると、表示パネルアセンブリは、表示パネル１００と、ソース印刷回路基板２００、駆動回路部２３０、リペア配線部１４０、ゲート駆動部３００及びデータ駆動部４００を含む。
【００６５】
表示パネル１００は、下部基板１１０と上部基板１３０、及び下部基板１１０と上部基板１３０の間に介在された液晶層を含む。下部基板１１０には第１方向に配列された複数のゲートライン（ＧＬ）と第１方向と交差する第２方向に配列された複数のデータライン（ＤＬ）が形成される。
【００６６】
下部基板１１０には、ゲートライン（ＧＬ）とデータライン（ＤＬ）とによって定義される複数の画素領域が形成され、画素領域にはスイッチング素子（ＴＦＴ）と、液晶キャパシタ（ＣＬＣ）の第１電極である画素電極及びストレージキャパシタ（ＣＳＴ）が形成される。画素領域は、下部基板の全体領域のうち、実質的に画像が表示される領域に対応する表示領域（ＤＡ）に形成される。
【００６７】
上部基板１３０は、下部基板１１０との合体を通じて液晶層を収容し、画素電極に対向する共通電極が形成される。上部基板１３０は、表示領域（ＤＡ）に対応して配置される。
【００６８】
表示パネル１００は、一般的に図に示すような四角形の形状を有する。より詳細には、表示パネル１００は、第１側部、第１側部と対向する第２側部、第１側部と第２側部とを連結する第３側部、及び第１側部と第２側部を連結して第３側部と対向する第４側部を含む。
【００６９】
ソース印刷回路基板２００は、表示パネル１００の一側部に配置され、駆動回路部２３０が実装される。ソース印刷回路基板２００には、駆動回路部２３０の出力端子に対応する複数の出力配線が形成される。
【００７０】
具体的にゲート駆動電圧を出力する駆動回路部２３０の出力端子は、第１出力配線部２０２と第２出力配線部２０４にそれぞれ連結される。第１出力配線部２０２は、一番目のデータＴＣＰ４１０のダミーパターン部４１３と電気的に連結され、第２出力配線部２０４は、一番目のデータＴＣＰ４１０以外の他のデータＴＣＰのダミーパターン部と電気的に連結される。ゲート駆動電圧は、第１クロック信号（ＣＫＶ）と第１クロック信号に対して極性が反転された第２クロック信号（ＣＫＶＢ）と、オフ電圧（ＶＳＳ）及び垂直開始信号（ＳＴＶ）を含む。
【００７１】
望ましくは、第２出力配線部２０４は、最後のデータＴＣＰ４６０のダミーパターン部４６３と電気的に連結される。したがって、ゲート駆動電圧は、第１出力配線部２０２及び第２出力配線部２０４を通じて一番目のデータＴＣＰ４１０と最後のデータＴＣＰ４６０のそれぞれのダミーパターン部（４１３、４６３）にそれぞれ印加される。
【００７２】
駆動回路部２３０は、外部装置から入力される信号に基づいて表示パネル１００を駆動するための駆動信号を出力する。具体的に、駆動回路部２３０は、ゲート駆動部３００に出力するゲート駆動電圧を生成し、データＴＣＰ（４１０〜４６０）に出力するデータ信号を信号処理する。
【００７３】
リペア配線部１４０は、表示領域（ＤＡ）を囲むように表示領域（ＤＡ）を囲む周辺領域に形成され、二つ以上のリペア配線を含む。リペア配線部１４０は、連結配線１５６を通じて最後のデータＴＣＰ４６０のダミーパターン部４６３と電気的に連結される。リペア配線部１４０は、前記第２出力配線部２０４から提供されたゲート駆動電圧が印加される。
【００７４】
ゲート駆動部３００は、下部基板１１０の第１周辺領域（ＰＡ１）に形成された複数のステージを具備したシフトレジスタである。
ゲート駆動部３００は、下部基板１１０の第１周辺領域（ＰＡ１）に形成される。ゲート駆動部３００の一番目のステージに対応してゲート駆動電圧が印加される第１入力端子部１５５が形成される。第１入力端子部１５５は、一番目のデータＴＣＰ４１０のダミーパターン部４１３と電気的に連結され、ゲート駆動電圧が印加される。ゲート駆動電圧は第１クロック信号（ＣＫＶ）と、第２クロック信号（ＣＫＶＢ）と、ゲートオフ電圧（ＶＳＳ）及び垂直開始信号（ＳＴＶ）を含む。
【００７５】
ゲート駆動部３００の最後のステージに対応してゲート駆動電圧が印加される第２入力端子部１５７が形成される。第２入力端子部１５７は、リペア配線部１４０と電気的に連結される。したがって、リペア配線部１４０に印加されたゲート駆動電圧は、第２入力端子部１５７に印加される。望ましくは、第２入力端子部１５７は、第１クロック信号（ＣＫＶ）及び第２クロック信号（ＣＫＶＢ）が入力される入力端子を含む。
【００７６】
データ駆動部４００は、複数のデータＴＣＰ（４１０、４２０、４３０、４４０、４５０、４６０）を含む。データＴＣＰ（４１０〜４６０）は、下部基板１１０の第２周辺領域（ＰＡ２）に第２方向に配列される。
【００７７】
それぞれのデータＴＣＰは、データラインにデータ信号を出力するデータ駆動チップが搭載される。それぞれのデータＴＣＰは、信号が入力される入力パターン部と、処理された信号が出力される出力パターン部及びダミーパターン部を含む。
【００７８】
一番目のデータＴＣＰ４１０のダミーパターン部４１３を通じてゲート駆動電圧はゲート駆動部３００の第１入力端子部１５５に伝達される。最後のデータＴＣＰ４６０のダミーパターン部４６３を通じてゲート駆動電圧はリペア配線部１４０に伝達され、リペア配線部１４０に伝達されたゲート駆動電圧はゲート駆動部３００の第２入力端子部１５７に伝達される。
【００７９】
このように、駆動回路部２３０から出力されたゲート駆動電圧はメイン経路である第１出力配線部２０２及び一番目のデータＴＣＰ４１０を通じてゲート駆動部３００の第１入力端子部１５５に印加される。また、ゲート駆動電圧は、サブ経路である第２出力配線部２０４、最後のデータＴＣＰ４６０及びリペア配線部１４０を通じてゲート駆動部３００の第２入力端子部１５７に印加される。勿論、サブ経路は、最後のデータＴＣＰ以外の他のデータＴＣＰを用いることができることは自明である。
【００８０】
図６は、図５に示したゲート駆動部及びゲート駆動電圧の伝達経路を説明するためのブロック図である。
図６を参照すると、ゲート駆動部３００はｎ個のステージ（ｓｔａｇｅ）（ＳＲＣ１、ＳＲＣ２、…、ＳＲＣｎ）とダミーステージ（ＳＲＣｄ）で構成され、複数のステージ（ＳＲＣ１、ＳＲＣ２、…、ＳＲＣｎ、ＳＲＣｄ）は、従属的に連結される。ステージは複数の薄膜トランジスタが集積されて形成されており、入力端子と出力端子を有する。
【００８１】
入力端子は、開始信号である垂直開始信号（ＳＴＶ）または前のステージ出力信号が入力される入力端子（ＩＮ）と、次のステージの出力信号またはダミーステージ（ＳＲＣｄ）の出力信号が入力される制御端子（ＣＬ）、第１クロック信号（ＣＫＶ）または第２クロック信号（ＣＫＶＢ）が入力されるクロック端子（ＣＫ）と、オフ電圧（ＶＳＳ）が印加される電圧端子（ＶＳＳ）を含む。第１クロック信号（ＣＫＶ）は奇数番目のステージに提供され、第２クロック信号（ＣＫＶＢ）は偶数番目のステージに提供される。出力端子は、該当するゲートライン（ＧＬ）と連結されてゲート信号を出力する。
【００８２】
図５及び図６を参照すると、ゲート駆動部３００にはゲート駆動電圧が印加され、ゲート駆動電圧は一番目のステージに対応して形成された第１入力端子部１５５と最後のステージに対応して形成された第２入力端子部１５７を通じて印加される。
【００８３】
具体的には、ゲート駆動電圧は、メイン経路及びサブ経路を通じてゲート駆動部３００に印加される。
まず、メイン経路はソース印刷回路基板２００に形成された第１出力配線部２０２と、第１データＴＣＰ４１０の第１ダミーパターン部４１３及び第１入力端子部１５５を経由する。望ましくは、第１入力端子部１５５は、複数のステージのうち、一番目のステージに対応して形成される。
【００８４】
第１出力配線部２０２を通じて伝達したゲート駆動電圧は、第１ダミーパターン部４１３を通じて第１入力端子部１５５に印加される。これによってゲート駆動部３００にはゲート駆動電圧が印加される。望ましくは、第１入力端子部１５５に印加されるゲート駆動電圧は第１クロック信号（ＣＫＶ）、第２クロック信号（ＣＫＶＢ）、ゲートオフ電圧（ＶＳＳ）及び垂直開始信号（ＳＴＶ）を含む。
【００８５】
第１クロック信号（ＣＫＶ）、第２クロック信号（ＣＫＶＢ）、ゲートオフ電圧（ＶＳＳ）及び垂直開始信号（ＳＴＶ）に対応して第１出力配線部２０２は複数の配線を含み、第１ダミーパターン部４１３は複数のダミーパターンを含む。
第１入力端子部１５５は、ゲート駆動電圧、第１クロック信号（ＣＫＶ）、第２クロック信号（ＣＫＶＢ）、ゲートオフ電圧（ＶＳＳ）及び垂直開始信号（ＳＴＶ）に対応する複数の入力端子（１５５ａ、１５５ｂ、１５５ｃ、１５５ｄ）を含む。
【００８６】
メイン経路を通じて、駆動回路部２３０から出力されたゲート駆動電圧がゲート駆動部３００に印加されてゲート信号を生成してゲートラインに出力する。
【００８７】
その後、サブ経路はソース印刷回路基板２００に形成された第２出力配線部２０４と、第２データＴＣＰ４６０の第２ダミーパターン部４６３、リペア配線部１４０及び第２入力端子部１５７を経由する。
【００８８】
望ましくは、第２入力端子部１５７は複数のステージのうち、一番目のステージを除いた残りのうちのいずれか一つに対応して形成される。また、サブ経路は第１ダミーパターン部４６３とリペア配線部１４０を電気的に連結する連結配線部１５６を含む。
【００８９】
第２出力配線部２０４を通じて伝達されたゲート駆動電圧は、第２ダミーパターン部４６３に印加され、第２ダミーパターン部４６３に印加されたゲート駆動電圧は、連結配線部１５６を通じてリペア配線部１４０に印加される。
【００９０】
リペア配線部１４０に印加されたゲート駆動電圧は、ゲート駆動部３００の第２入力端子部１５７に印加される。これによってゲート駆動部３００にゲート駆動電圧が印加される。望ましくは、第２入力端子部１５７に印加されるゲート駆動電圧は第１クロック信号（ＣＫＶ）及び第２クロック信号（ＣＫＶＢ）である。
【００９１】
第１クロック信号（ＣＫＶ）及び第２クロック信号（ＣＫＶＢ）に対応して第２出力配線部２０４は複数の配線を含み、第２ダミーパターン部４６３は複数のダミーパターンを含む。
【００９２】
第２入力端子部１５７は、第１クロック信号（ＣＫＶ）及び第２クロック信号（ＣＫＶＢ）に対応する入力端子（１５７ａ、１５７ｂ）を含む。
これによって、メイン経路を通じて第１クロック信号（ＣＫＶ）及び第２クロック信号（ＣＫＶＢ）の伝達経路に誤り（異常）が発生する場合、サブ経路を通じて第１クロック信号（ＣＫＶ）及び第２クロック信号（ＣＫＶＢ）をゲート駆動部３００に正常的に伝達することができる。
【００９３】
以上、第１クロック信号及び第２クロック信号に対するサブ経路が形成された場合を例として挙げたが、垂直開始信号（ＳＴＶ）及びオフ電圧（ＶＳＳ）に対するサブ経路を形成することができることは自明である。例えば、垂直開始信号（ＳＴＶ）に対するサブ経路を形成する場合、リペア配線を通じて垂直開始信号（ＳＴＶ）は、一番目のステージに印加することが望ましい。また、オフ電圧（ＶＳＳ）に対するサブ経路を形成する場合には、上述で説明したように最後のステージに印加されることが望ましい。
【００９４】
図７は、本発明の更に他の実施形態による表示装置に対する概略的な分解斜視図である。
図７を参照すると、表示装置はバックライトアセンブリ５００及び表示パネルアセンブリ６００を含む。
【００９５】
バックライトアセンブリ５００は、ボトムシャーシ５１０、反射部材５２０、導光板５３０、ランプユニット５４０及び光学部材５５０を含む。
具体的には、ボトムシャーシ５１０は、一定収納空間を定義する複数の側壁と側壁の下側に連結された底面とを含み、底面の背面にはランプユニット５４０に電源を供給するインバータ及び表示パネルアセンブリのソース印刷回路基板が配置される。ボトムシャーシ５１０には、反射部材５２０及びランプユニット５４０などが収納される。
【００９６】
反射部材５２０は、ボトムシャーシ５１０に収納され、ランプユニット５４０から出射された光を反射させる。導光板５３０は、ランプユニット５３０から出射された光を表示パネルアセンブリ６００方向にガイドする。ランプユニット５４０は、光を出射する光源５４１と光源５４１をカバーするランプカバー５４３を含む。
【００９７】
光学部材５５０は、導光板５３０の上部に配置され、導光板５３０によってガイドされた光の輝度を向上させる。光学部材５５０は、拡散板５５１と一枚以上のプリズムシート（５５２、５５３）を含む。図面では、一枚の拡散板５５１と二枚のプリズムシート（５５２、５５３）が示されているが、これに限定されるものではなく、要求される光学的性質によって多様な光学シートを含んでもよく、また拡散板５５１とプリズムシート（５５２、５５３）を省略してもよい。
【００９８】
表示パネルアセンブリ６００は、表示パネル６１０、ソース印刷回路基板６２０、複数のゲートＴＣＰ６３０、複数のデータＴＣＰ６４０及びトップシャーシ６５０を含む。
表示パネル６１０は、下部基板６１１と上部基板６１３及び液晶層６１２を含む。下部基板６１１は、複数のゲートラインと複数のゲートラインに連結された複数のスイッチング素子が形成された表示領域と、表示領域を囲む周辺領域で構成される。上部基板６１３は、下部基板６１１との合体を通じて液晶層６１２を収容する。
【００９９】
ソース印刷回路基板６２０は、表示パネル６１０の一側部に配置され、外部からの入力信号を表示パネル６１０を駆動するための駆動信号に処理する駆動回路部６２５が配置される。ソース印刷回路基板６２０には、駆動回路部６２５から出力される駆動信号を表示パネル６１０側に伝達する複数の出力配線が形成される。具体的には、ソース印刷回路基板６２０には、駆動信号のうち、ゲートオン電圧を表示パネル６１０側に伝達する第１出力配線６２１及び第２出力配線６２３が形成される。
【０１００】
それぞれのゲートＴＣＰ（６３１〜６３４）は、ゲートラインにゲート信号を出力するゲート駆動チップが搭載されて下部基板６１１の一側部に実装される。一番目のゲートＴＣＰ６３１を通じて駆動回路部６２５から出力されるゲート駆動信号が複数のゲートＴＣＰ６３０に印加される。
【０１０１】
それぞれのデータＴＣＰ（６４１〜６４６）は、データラインにアナログ形態のデータ電圧を出力するデータ駆動チップが搭載されて下部基板６１１の他側部に実装される。一番目のデータＴＣＰ６４１のダミーパターンを通じてゲート駆動信号を一番目のゲートＴＣＰ６３１に伝達する。すなわち、一番目のデータＴＣＰ６４１のダミーパターンは、第１出力配線６２１から伝達されたゲートオン電圧をゲートＴＣＰ６３０に伝達するメイン経路として用いられる。
【０１０２】
一方、最後のデータＴＣＰ６４６のダミーパターンは、第２出力配線６２３から伝達されたゲートオン電圧をゲートＴＣＰ６３０に伝達するサブ経路として用いられる。ここでは、最後のデータＴＣＰ６４６を通じてサブ経路を形成する場合を例として挙げたが、一番目のデータＴＣＰ６４１以外の他のデータＴＣＰを通じてサブ経路を形成することもできることは自明である。
【０１０３】
具体的には、最後のデータＴＣＰ６４６のダミーパターンは、表示領域の一部分を囲むように形成されたリペア配線のうち、一つの補助配線６１４と電気的に連結される。また、最後のゲートＴＣＰ６３４も補助配線６１４と電気的に連結される。これによって第２出力配線６２３から伝達されたゲートオン電圧は、最後のデータＴＣＰ６４６のダミーパターンと補助配線６１４と最後のゲートＴＣＰ６３４を通じてゲートＴＣＰ６３０に伝達される。
【０１０４】
リペア配線は、データラインに断線が発生する場合のリペアのための配線である。
トップシャーシ６５０は、表示パネル６１０の上部に形成され、バックライトアセンブリ５００のボトムシャーシ５１０と結合される。
【０１０５】
尚、本発明は、上述の実施形態に限られるものではない。本発明の技術的範囲から逸脱しない範囲内で多様に変更実施することが可能である。
【図面の簡単な説明】
【０１０６】
【図１】本発明の実施形態による表示パネルアセンブリに対する概略的な平面図である。
【図２】図１に示した「Ｉ」部分の拡大図である。
【図３】図１に示した「ＩＩ」部分の拡大図である。
【図４】図１に示した「ＩＩＩ」部分の拡大図である。
【図５】本発明の他の実施形態による表示パネルアセンブリに対する概略的な平面図である。
【図６】図５に示したゲート駆動回路部及びゲート駆動電圧の伝達経路を説明するためのブロック図である。
【図７】本発明の更に他の実施形態による表示装置に対する概略的な分解斜視図である。
【符号の説明】
【０１０７】
１００      表示パネル
１１０      下部基板
１３０      上部基板
１４０    リぺア配線部
１５１      第１連結配線
１５２      第２連結配線
１５３      第３連結配線
２００    ソース印刷回路基板
２０１ａ    第１出力配線
２０３      第２出力配線
２３０    駆動回路部
３００、３１０〜３４０    ゲートＴＣＰ
４００、４１０〜４６０    データＴＣＰ
４１２ａ、４６２ａ    ダミーパターン
【図１】
2006209109.tif 000003
【図２】
2006209109.tif 000004
【図３】
2006209109.tif 000005
【図４】
2006209109.tif 000006
【図５】
2006209109.tif 000007
【図６】
2006209109.tif 000008
【図７】
2006209109.tif 000009